(57)【特許請求の範囲】
【請求項１】
複数の通信端末に対しＣｅｌｌ  Ｂｒｏａｄｃａｓｔ  Ｓｅｒｖｉｃｅメッセージの同報配信を行う同報配信装置であって、
同報配信の依頼元を示す名称情報を、前記依頼元を認証するための認証情報と共に登録する登録手段と、
前記依頼元の管理する管理サーバから同報配信の配信要求と前記依頼元の認証情報とを受信し、受信した当該認証情報に基づいて依頼元を認証し、認証後に、同報配信するメッセージ情報を当該認証情報に対応付けて前記管理サーバから受信する受信手段と、
前記メッセージ情報に対応付けられた前記認証情報に基づいて前記登録手段により登録された名称情報を特定し、当該名称情報と前記メッセージ情報とを含んだＣｅｌｌ  Ｂｒｏａｄｃａｓｔ  Ｓｅｒｖｉｃｅメッセージである配信情報であって、前記通信端末の表示画面における前記メッセージ情報が表示される表示領域とは異なる表示領域に前記名称情報が表示される配信情報を、作成する作成手段と、
前記作成手段により作成された前記配信情報を前記複数の通信端末に送信する送信手段と
を備えたことを特徴とする同報配信装置。
【請求項２】
前記送信手段は、前記受信手段が受信した前記認証情報に基づいて前記受信手段が依頼元を認証した後に、前記配信情報の配信の許可を示す応答データを前記管理サーバに送信し、
前記受信手段は、前記応答データを受信した前記管理サーバから、同報配信する前記メッセージ情報を前記認証情報に対応付けて受信する、
ことを特徴とする請求項１に記載の同報配信装置。
【請求項３】
前記作成手段は、前記配信情報を、前記メッセージ情報と前記名称情報とを前記通信端末の表示画面に同時に表示できる形式に作成する、ことを特徴とする請求項１または２に記載の同報配信装置。
【請求項４】
前記メッセージ情報は、タイトルと本文とを含み、
前記作成手段は、前記タイトルと前記本文と前記名称情報とを前記通信端末の表示画面に同時に表示できる形式に作成する、
ことを特徴とする請求項３に記載の同報配信装置。
【請求項５】
請求項１〜４の何れか一項に記載の同報配信装置と、保守端末と、を備えた通信システムであって、
前記保守端末は、前記登録手段による登録の前に前記管理サーバから前記名称情報を受信して受信後に前記認証情報を作成し、次に作成した当該認証情報を前記管理サーバに送信し、
前記登録手段は、前記保守端末から、前記名称情報と前記認証情報と共に登録依頼を受信し、受信後に当該名称情報を当該認証情報に関連付けて登録する、
ことを特徴とする通信システム。
【請求項６】
複数の通信端末に対しＣｅｌｌ  Ｂｒｏａｄｃａｓｔ  Ｓｅｒｖｉｃｅメッセージの同報配信を行う同報配信方法であって、
同報配信の依頼元を示す名称情報を、前記依頼元を認証するための認証情報と共に登録する登録ステップと、
前記登録ステップの後、前記依頼元の管理する管理サーバから同報配信の配信要求と前記依頼元の認証情報とを受信し、受信した当該認証情報に基づいて依頼元を認証し、認証後に、同報配信するメッセージ情報を当該認証情報に対応付けて前記管理サーバから受信する受信ステップと、
前記受信ステップにおいて受信された前記メッセージ情報に対応付けられた前記認証情報に基づいて前記登録ステップにおいて登録された名称情報を特定し、当該名称情報と前記メッセージ情報とを含んだＣｅｌｌ  Ｂｒｏａｄｃａｓｔ  Ｓｅｒｖｉｃｅメッセージである配信情報であって、前記通信端末の表示画面における前記メッセージ情報が表示される表示領域とは異なる表示領域に前記名称情報が表示される配信情報を、作成する作成ステップと、
前記作成ステップにおいて作成された前記配信情報を前記複数の通信端末に送信する送信ステップと
を備えたことを特徴とする同報配信方法。
【発明の詳細な説明】
【技術分野】
【０００１】
本発明は、同報配信装置、通信システム及び同報配信方法に関する。
【背景技術】
【０００２】
特許文献１には、同報配信についての技術が開示されている。特許文献１に記載のマルチキャスト配信方法は、配信元からデータパケットに先立って配信された制御情報を受信する制御情報受信ステップと、制御情報に応じてデータパケットの受信の準備を行う受信準備ステップと、配信元から制御情報に続いて配信されたデータパケットを受信するデータパケット受信ステップとを有する。
【特許文献１】特開２００２−２５２６４６号公報
【発明の開示】
【発明が解決しようとする課題】
【０００３】
ところで、マルチキャスト配信を行う事業者は、他の事業者等からの配信依頼に応じてマルチキャスト配信を行う場合がある。このような場合、配信データは依頼元の事業者から提供される。このため、この依頼元の事業者は、他の事業者の名称を配信データに含めることが可能となる。よって、他の事業者になりすまして配信を行うことが可能となり、同報配信に対する信頼性が損なわれる虞がある。
【０００４】
そこで本発明の目的は、なりすましによる同報配信を回避可能な信頼性の高い同報配信装置、通信システム及び同報配信方法を提供することである。
【課題を解決するための手段】
【０００５】
本発明は、複数の通信端末に対し同報配信を行う同報配信装置であって、同報配信の依頼元を示す名称情報を、上記依頼元を認証するための認証情報と共に登録する登録手段と、上記依頼元の管理する管理サーバから、同報配信するメッセージ情報と上記依頼元の認証情報とを互いに対応付けて受信する受信手段と、上記メッセージ情報に対応付けられた認証情報に基づいて上記登録手段により登録された名称情報を特定し、当該名称情報と上記メッセージ情報とを含んだ配信情報を作成する作成手段と、上記作成手段により作成された上記配信情報を上記複数の通信端末に送信する送信手段とを備えたことを特徴とする。
【０００６】
また、本発明は、複数の通信端末に対し同報配信を行う同報配信方法であって、同報配信の依頼元を示す名称情報を、上記依頼元を認証するための認証情報と共に登録する登録ステップと、上記登録ステップの後、上記依頼元の管理する管理サーバから、同報配信するメッセージ情報と上記依頼元の認証情報とを互いに対応付けて受信する受信ステップと、上記受信ステップにおいて受信された上記メッセージ情報に対応付けられた認証情報に基づいて上記登録ステップにおいて登録された名称情報を特定し、当該名称情報と上記メッセージ情報とを含んだ配信情報を作成する作成ステップと、上記作成ステップにおいて作成された上記配信情報を上記複数の通信端末に送信する送信ステップとを備えたことを特徴とする。
【０００７】
本発明によれば、同報配信される配信情報は、同報配信の依頼元の認証されたメッセージ情報及び名称情報を含んでいるので、同報配信の依頼元以外の者が、この依頼元になりすまして配信情報を配信するという事態が回避できる。よって、同報配信の信頼性が向上される。
【０００８】
更に、本発明において、作成手段は、配信情報を、メッセージ情報と名称情報とを通信端末の表示画面に同時に表示できる形式に作成するのが好ましい。このように、メッセージ情報と名称情報とは、通信端末の表示画面に同時に表示可能なので、メッセージ情報と名称情報とが一画面に確実に表示できる。
【発明の効果】
【０００９】
本発明によれば、なりすましによる同報配信を回避可能な信頼性の高い同報配信装置、通信システム及び同報配信方法が提供できる。
【発明を実施するための最良の形態】
【００１０】
以下、図面を参照して、本発明に係る好適な実施形態について詳細に説明する。図面の説明において、可能な場合には、同一要素には同一符号を付し、重複する説明を省略する。図１は、通信システム１の構成を示す図である。通信システム１は、依頼元管理サーバ２、同報配信装置４及び保守端末６と、複数の移動通信端末１０とを備える。依頼元管理サーバ２及び保守端末６はそれぞれ同報配信装置４に接続されている。同報配信装置４は、ネットワーク８を介して複数の移動通信端末１０に接続されている。なお、依頼元管理サーバ２、同報配信装置４、保守端末６及び移動通信端末１０は、ネットワーク８を介して相互に接続されていてもよい。
【００１１】
依頼元管理サーバ２は、同報配信の依頼元の管理するＣＢＥ（Cell Broadcast Entity）である。この同報配信の依頼元としては、例えば、国、都道府県、市町村の役所等がある。同報配信の内容としては、災害情報や非難情報等がある。同報配信装置４は、依頼元管理サーバ２からの同報配信の依頼に応じて複数の移動通信端末１０に同報配信を行うＣＢＣ（CellBroadcast Center）である。保守端末６は、同報配信装置４を管理する同報配信事業者と同一の事業者によって管理されている通信端末であり、同報配信の依頼元の名称情報Ｌ３（図４（Ａ）を参照）の登録を同報配信装置４に指示する。移動通信端末１０は、ＬＣＤ（LiquidCrystal Display）等の表示画面を有する通信端末であり、例えば携帯電話である。
【００１２】
同報配信装置４の構成を図２及び図３を参照して説明する。同報配信装置４は、物理的にはＣＰＵ４ａ、ＲＡＭ４ｂ、ＲＯＭ４ｃ、入力装置４ｄ、出力装置４ｅ、記憶装置４ｆ及び通信装置４ｇを有しており、これらはバス４ｈに接続されている。ＣＰＵ４ａは、ＲＯＭ４ｃ等の内蔵メモリに格納された所定のコンピュータソフトウェアをＲＡＭ４ｂにロードして実行することにより、同報配信装置４を統括的に制御する。
【００１３】
入力装置４ｄは、データ入力用デバイスであり、入力されたデータをＣＰＵ４ａに出力する。出力装置４ｅは、ＬＣＤ等の表示装置であり、ＣＰＵ４ａから入力されたデータを表示する。記憶装置４ｆは、書き込み／読み出しが自在なメモリである。記憶装置４ｆは、ＣＰＵ４ａの実行可能なコンピュータソフトウェアを格納する。記憶装置４ｆは、テーブル４ｉを格納しており、テーブル４ｉは、同報配信の依頼元のＩＤと、この依頼元の名称情報Ｌ３とを含んでいる。これらのＩＤ及び名称情報Ｌ３はテーブル４ｉ内において互いに関連付けられている。通信装置４ｇは、依頼元管理サーバ２、保守端末６及び移動通信端末１０と通信を行うためのインターフェイスを有している。
【００１４】
ＣＰＵ４ａは、図３に示す複数の機能を実現する。すなわち、同報配信装置４は、機能的には、登録部４１（登録手段）、受信部４２（受信手段）、作成部４３（作成手段）及び送信部４４（送信手段）を有する。登録部４１〜送信部４４は、ＣＰＵ４ａがコンピュータソフトウェアを実行し、図２に示す同報配信装置４の各構成部（ＲＡＭ４ｂ〜通信装置４ｇ）を動作させることにより実現される機能である。特に、ＣＰＵ４ａは、登録部４１〜送信部４４を用いて、図４に示す同報配信装置４の処理を実行する。
【００１５】
登録部４１は、名称情報Ｌ３を、認証情報と共に同報配信装置４の記憶装置４ｆに登録する。この認証情報は、同報配信の依頼元を認証するための例えばＩＤである。受信部４２は、通信装置４ｇを用いて、依頼元管理サーバ２及び保守端末６から各種情報を受信する。受信部４２は、名称情報Ｌ３の登録指示を、保守端末６から通信装置４ｇを用いて名称情報Ｌ３、ＩＤ及びパスワードと共に受信する。受信部４２は、同報配信するメッセージ情報Ｌ２とこの同報配信の依頼元のＩＤとを互いに対応付けて依頼元管理サーバ２から通信装置４ｇを用いて受信する。受信部４２は、依頼元管理サーバ２からのＣＢＳメッセージＬ１の配信要求を、ＩＤ及びパスワードと共に通信装置４ｇを用いて受信する。受信部４２は、同報配信されるメッセージ情報Ｌ２（図４（Ａ）を参照）を、通信装置４ｇを用いて依頼元管理サーバ２から受信する。
【００１６】
作成部４３は、メッセージ情報Ｌ２に対応付けられたＩＤに基づいて登録部４１により登録された名称情報Ｌ３を特定し、この名称情報Ｌ３とメッセージ情報Ｌ２とを用いてＣＢＳメッセージＬ１（図４（Ａ）を参照）（CBS:Cell Broadcast Service）を作成する。ＣＢＳメッセージＬ１は、メッセージ情報Ｌ２と名称情報Ｌ３とを含む配信情報である。ＣＢＳメッセージＬ１は、メッセージ情報Ｌ２及び名称情報Ｌ３が移動通信端末１０の表示画面に同時に表示可能な形式を有する。ＣＢＳメッセージＬ１に含まれるメッセージ情報Ｌ２及び名称情報Ｌ３は、ＩＤに基づいて依頼元が同一であると作成部４３により認証された情報である。送信部４４は、通信装置４ｇを用いて、依頼元管理サーバ２、保守端末６及び移動通信端末１０に対し各種情報を送信する。送信部４４は、通信装置４ｇを用いて、複数の移動通信端末１０にＣＢＳメッセージＬ１を送信する。
【００１７】
図４（Ａ）に、ＣＢＳメッセージの内容の一例を示し、図４（Ｂ）に、移動通信端末におけるＣＢＳメッセージの表示例を示す。ＣＢＳメッセージＬ１は、メッセージ情報Ｌ２及び名称情報Ｌ３を含み、メッセージ情報Ｌ２は、タイトルＬ４及び本文Ｌ５を含む。このＣＢＳメッセージＬ１は、地震発生に伴う非難情報の一例である。名称情報Ｌ３は、例えば「ＣＣ市」等の同報配信の依頼元の名称を示す文字情報である。タイトルＬ４は、例えば「避難場所案内」等のメッセージのタイトルを示す文字情報であり、本文Ｌ５は、例えば「７月３０日に発生した地震被害のためＡＡ小学校をＢＢ地区の避難場所と致します。」等のメッセージの本文を示す文字情報である。
【００１８】
ＣＢＳメッセージＬ１は、タイトルＬ４、改行マークＲ１、本文Ｌ５、改行マークＲ２及び名称情報Ｌ３を、この順序で含む文字情報である。移動通信端末１０は、このＣＢＳメッセージＬ１を同報配信装置４から受けると、改行マークＲ１までの文字情報（タイトルＬ４）を、表示画面Ｄ１のタイトル表示領域Ｃ１に表示し、改行マークＲ１と改行マークＲ２との間の文字情報（本文Ｌ５）を本文表示領域Ｃ２に表示する。そして、移動通信端末１０は、改行マークＲ２より後の文字情報（名称情報Ｌ３）を名称表示領域Ｃ３に表示する。このように、メッセージ情報Ｌ２と名称情報Ｌ３とが移動通信端末１０の表示画面に同時に表示される。
【００１９】
次に、図５を参照して通信システム１の動作を説明する。以下で説明するステップＳ１〜ステップＳ４はオフラインで行われ、ステップＳ５以降の処理はオンラインで行われるものとする。まず、ステップＳ１において、依頼元管理サーバ２の操作者（依頼元管理サーバ２を管理する同報配信の依頼元に属する作業者）は、同報配信の申し込みをする旨の書類を保守端末６の操作者（同報配信装置４及び保守端末６を管理する同報配信事業者に属する作業者）に送る（ステップＳ１）。この書類には、依頼元管理サーバ２を管理する同報配信の依頼元の名称情報Ｌ３が記載されている。
【００２０】
ステップＳ１の後、ステップＳ２において、保守端末６の操作者は、同報配信の申し込みをする旨と名称情報Ｌ３とが記載された書類を、依頼元管理サーバ２を管理する同報配信の依頼元から受ける（ステップＳ２）。ステップＳ２の後、ステップＳ３において、保守端末６の操作者は、依頼元管理サーバ２を管理する同報配信の依頼元を認証するためのＩＤ及びパスワードを作成し、このＩＤ及びパスワードを依頼元管理サーバ２の操作者に書面で通知する（ステップＳ３）。ステップＳ３の後、ステップＳ４において、依頼元管理サーバ２は、ＩＤ及びパスワードの記載された書面を保守端末６の操作者から受ける（ステップＳ４）。
【００２１】
ステップＳ４の後、ステップＳ５において、保守端末６の操作者は、ステップＳ１において依頼元管理サーバ２の操作者から保守端末６の操作者に送られた書類に記載された名称情報Ｌ３を同報配信装置４に登録する旨の登録依頼を、ステップＳ４において依頼元管理サーバ２の操作者に送った書類に記載されたＩＤ及びパスワードと名称情報Ｌ３と共に、同報配信装置４に送信（入力）する（ステップＳ５）。ステップＳ５の後、ステップＳ６において、同報配信装置４の受信部４２は、保守端末６から送信された名称情報Ｌ３の登録依頼を示すデータと、この名称情報Ｌ３、ＩＤ及びパスワードとを受信する（ステップＳ６）。ステップＳ５及びステップＳ６におけるＩＤ及びパスワードは、ステップＳ４において依頼元管理サーバ２が受信したものと同一である。
【００２２】
ステップＳ６の後、ステップＳ７において、同報配信装置４の登録部４１は、ステップＳ６において受信したＩＤ及びパスワードに基づいて同報配信の依頼元に対する認証を行った後に、名称情報Ｌ３をこのＩＤに関連付けて記憶装置４ｆに格納することにより、名称情報Ｌ３の登録を行う（ステップＳ７）。ステップＳ７の後、ステップＳ８において、依頼元管理サーバ２は、ＣＢＳメッセージＬ１の配信要求を示すデータを、ステップＳ４において同報配信装置４から受信したＩＤ及びパスワードと共に同報配信装置４に送信する（ステップＳ８）。
【００２３】
ステップＳ８の後、ステップＳ９において、同報配信装置４の受信部４２は、ステップＳ８において依頼元管理サーバ２から送信されたＣＢＳメッセージＬ１の配信要求を示すデータとＩＤ及びパスワードとを受信する（ステップＳ９）。ステップＳ９の後、ステップＳ１０において、同報配信装置４の受信部４２は、ステップＳ９において受信したＩＤ及びパスワードに基づいて依頼元を認証する（ステップＳ１０）。
【００２４】
ステップＳ１０の認証の後、ステップＳ１１において、同報配信装置４の送信部４４は、ＣＢＳメッセージＬ１の配信の許可を示す応答データを、依頼元管理サーバ２に送信する（ステップＳ１１）。ステップＳ１１の後、ステップＳ１２において、依頼元管理サーバ２は、同報配信装置４から上記応答データを受信する（ステップＳ１２）。
【００２５】
ステップＳ１２の後、ステップＳ１３において、依頼元管理サーバ２は、同報配信されるメッセージ情報Ｌ２を同報配信装置４に送信する（ステップＳ１３）。ステップＳ１３の後、ステップＳ１４において、同報配信装置４の受信部４２は、メッセージ情報Ｌ２を、ＩＤに対応付けて依頼元管理サーバ２から受信する（ステップＳ１４）。
【００２６】
ステップＳ１４の後、ステップＳ１５において、同報配信装置４の作成部４３は、ステップＳ１４において受信されたメッセージ情報Ｌ２に対応付けられたＩＤ（ステップＳ９において受信部４２により受信されたＩＤ）に基づいてステップＳ７において登録部４１により登録された名称情報Ｌ３を特定し、この名称情報Ｌ３とメッセージ情報Ｌ２とを含むＣＢＳメッセージＬ１を作成する（ステップＳ１５）。このＣＢＳメッセージＬ１に含まれるメッセージ情報Ｌ２及び名称情報Ｌ３は、ＩＤに基づいて依頼元が作成部４３により認証された情報である。そして、ステップＳ１５の後、ステップＳ１６において、同報配信装置４の送信部４４は、ステップＳ１５において作成されたＣＢＳメッセージＬ１をネットワーク８を介して複数の移動通信端末１０に同報配信する（ステップＳ１６）。
【００２７】
次に、同報配信装置４の作用効果を説明する。同報配信装置４は、複数の移動通信端末１０に対し同報配信を行い、登録部４１、受信部４２、作成部４３及び送信部４４を備える。登録部４１は、同報配信の依頼元を示す名称情報Ｌ３を、依頼元を認証するためのＩＤと共に記憶装置４ｆに登録する。受信部４２は、同報配信の依頼元の管理する依頼元管理サーバ２から、同報配信するメッセージ情報Ｌ２とこの依頼元のＩＤとを互いに対応付けて受信する。作成部４３は、メッセージ情報Ｌ２に対応付けられたＩＤに基づいて登録部４１により登録された名称情報Ｌ３を特定し、この名称情報Ｌ３とメッセージ情報Ｌ２とを含んだＣＢＳメッセージＬ１を作成する。送信部４４は、作成部４３により作成されたＣＢＳメッセージＬ１を複数の移動通信端末１０に送信する。
【００２８】
このように、同報配信されるＣＢＳメッセージＬ１は、同報配信の依頼元の認証されたメッセージ情報Ｌ２及び名称情報Ｌ３を含むので、同報配信の依頼元以外の者が、この依頼元になりすましてＣＢＳメッセージＬ１を配信するという事態が回避できる。よって、同報配信の信頼性が向上される。
【００２９】
更に、作成部４３は、ＣＢＳメッセージＬ１を、メッセージ情報Ｌ２と名称情報Ｌ３とを移動通信端末１０の表示画面に同時に表示できる形式に作成するのが好ましい。このように、メッセージ情報Ｌ２と名称情報Ｌ３とは、移動通信端末１０の表示画面に同時に表示可能なので、メッセージ情報Ｌ２と名称情報Ｌ３とが一画面に確実に表示できる。
【００３０】
なお、本実施形態の通信システム１は、ステップＳ１〜ステップＳ４をオフラインで行い、ステップＳ５以降の処理をオンラインで行う構成としたが、これに限らず、ステップＳ１〜ステップＳ１６を全てオンラインで行う構成であってもよい。この場合、まず、依頼元管理サーバ２は、同報配信の申し込みをする旨のデータを保守端末６に送信する（ステップＳ１に相当）。このデータには、依頼元管理サーバ２を管理する同報配信の依頼元の名称情報Ｌ３が含まれる。この後、保守端末６は、依頼元管理サーバ２から送信された名称情報Ｌ３を含むデータを受信する（ステップＳ２に相当）。このデータの受信後に、保守端末６は、依頼元管理サーバ２を管理する同報配信の依頼元を認証するためのＩＤ及びパスワードを作成し、更に、名称情報Ｌ３を同報配信装置４に登録する旨の登録依頼を、この作成したＩＤ及びパスワードと共に同報配信装置４に送信（入力）する（ステップＳ５に相当）。同報配信装置４は、この名称情報Ｌ３及び登録依頼とＩＤ及びパスワードとを保守端末６から受けて（ステップＳ６に相当）、ステップＳ７と同様の処理を行う。この後、保守端末６は、作成したＩＤ及びパスワードを依頼元管理サーバ２に送信し（ステップＳ３に相当）、依頼元管理サーバ２は、このＩＤ及びパスワードを受信する（ステップＳ４に相当）。以上のようにして、ステップＳ１〜ステップＳ４もオンラインで処理可能となり、ステップＳ１〜ステップＳ１６の全てのステップがオンラインで処理される。
【図面の簡単な説明】
【００３１】
【図１】実施形態に係る通信システムの構成を示す図である。
【図２】実施形態に係る同報配信装置の構成を示す図である。
【図３】実施形態に係る同報配信装置の構成を示す図である。
【図４】実施形態に係るＣＢＳメッセージを説明するための図である。
【図５】実施形態に係る通信システムの動作を説明するためのシーケンスである。
【符号の説明】
【００３２】
Ｒ１…改行マーク、Ｒ２…改行マーク、Ｌ１…ＣＢＳメッセージ、Ｌ２…メッセージ情報、Ｌ３…名称情報、Ｌ４…タイトル、Ｌ５…本文、Ｃ１…タイトル表示領域、Ｃ２…本文表示領域、Ｃ３…名称表示領域、Ｄ１…表示画面、１…通信システム、１０…移動通信端末、２…依頼元管理サーバ、４…同報配信装置、４ｅ…出力装置、４ｈ…バス、４ｆ…記憶装置、４ａ…ＣＰＵ、４ｃ…ＲＯＭ、４ｇ…通信装置、４ｄ…入力装置、４ｂ…ＲＡＭ、４１…登録部、４２…受信部、４３…作成部、４４…送信部、６…保守端末、８…ネットワーク
【図１】
0004519893.tif 000002
【図２】
0004519893.tif 000003
【図３】
0004519893.tif 000004
【図４】
0004519893.tif 000005
【図５】
0004519893.tif 000006